(57)【要約】【課題】ヘアドライ時に頭皮マッサージを同時に行うことができるヘアドライヤーを提供する。【解決手段】ヘアドライヤー１２の送風口１４の近傍に頭皮マッサージ器具１６を取り付け、髪を乾かしながら、あるいはその前後など、頭皮に対して最も効果的なタイミングでマッサージを行うことができるようにする。さらには温風で頭皮を温めることで血行を良くし、頭皮を健康な状態に維持することができるようにする。【選択図】図１
0003192178.tif 000002
【実用新案登録請求の範囲】
【請求項１】
ヘアドライ時に頭皮に刺激を与えるマッサージ器具を送風口もしくはその近傍に取り付けたことを特徴とする頭皮マッサージ機能付きヘアドライヤー。
【請求項２】
前記マッサージ器具が電動であることを特徴とする請求項１に記載の頭皮マッサージ機能付きヘアドライヤー。
【請求項３】
温度および風量の微細な設定が可能であることを特徴とする請求項１または２に記載の頭皮マッサージ機能付きヘアドライヤー。
【考案の詳細な説明】
【技術分野】
【０００１】
本考案は、手が疲れにくく手軽に頭皮をマッサージする事を目的とし、更に、髪を乾かす前や乾かした後の他、乾かす間などの使用者の望むときに、頭皮をマッサージすることができるマッサージ器具に関する。
【背景技術】
【０００２】
従来、頭皮マッサージには、手や指を使って頭皮を直接揉んだり、ヘヤブラシを使用したり、手動式もしくは電動式の専用マッサージ器具等が用いられていた。またヘアドライヤーにマッサージ効果のある器具を取り付けたものも提案されている（特許文献１参考）。
【先行技術文献】
【特許文献】
【０００３】
【特許文献１】実用新案登録第３１８４９５５号公報
【考案の概要】
【考案が解決しようとする課題】
【０００４】
しかしながら、従来の頭皮マッサージには次のような問題があった。
【０００５】
手や指でマッサージを行う場合、爪で地肌を傷つける心配がある。また指に力が入るため疲れやすく、長時間マッサージを行うことができない。
【０００６】
ヘアブラシや専用マッサージ器具は、マッサージをしたいときに手元に用意しておかなければならないことから、そのうち億劫になったり面倒になったりすることがあり、長く継続して使用することができない。また専用マッサージ器具は、髪を乾かす前や乾かした後に使用することはできるが、ドライヤーで髪を乾かしながらの使用は困難である。従って、血行を良くするために頭皮を温めながらマッサージを行うことはできない。
【０００７】
特許文献１にはマッサージ機能を有するヘアドライヤーが開示されている。このヘアドライヤーは髪型をセットすることに主要な目的があるため、頭皮に触れる先端部から送風を行うように構成されている。そのため、このヘアドライヤーを用いて頭皮マッサージを行う場合、熱風が頭皮に直撃し、頭皮を痛めたり、温度によっては火傷を負う恐れもある。これを防止するために送風温度を低めに設定すれば、髪型をセットする熱量が不足し、ドライヤー本来の目的を果たさなくなる。
【課題を解決するための手段】
【０００８】
上記問題を解決するため、本考案は、ヘアドライヤーに頭皮マッサージ器具を付属させることとした。
【０００９】
本考案の第一の態様は、ヘアドライ時に頭皮に刺激を与えるマッサージ器具を送風口もしくはその近傍に取り付けたことを特徴とする頭皮マッサージ機能付きヘアドライヤーである。
【００１０】
本考案の第二の態様は、第一の態様において、マッサージ器具が電動であることを特徴とする頭皮マッサージ機能付きヘアドライヤーである。
【００１１】
本考案の第三の態様は、第一の態様または第二の態様において、温度および風量の微細な設定が可能であることを特徴とする頭皮マッサージ機能付きヘアドライヤーである。
【考案の効果】
【００１２】
ヘアドライヤーに頭皮マッサージ器具を付属させることで、髪を乾かしながら、あるいはその前後など、頭皮に対して最も効果的なタイミングでマッサージを行うことができる。さらには温風で頭皮を温めることで血行が良くなり、頭皮を健康な状態に維持することができる。
【図面の簡単な説明】
【００１３】
【図１】頭皮マッサージ機能付きヘアドライヤーの第１の実施例を示す側面図
【図２】頭皮マッサージ機能付きヘアドライヤーの第１の実施例を示す平面図
【図３】頭皮マッサージ機能付きヘアドライヤーの第２の実施例を示す側面図
【図４】頭皮マッサージ機能付きヘアドライヤーの第２の実施例を示す平面図
【図５】頭皮マッサージ機能付きヘアドライヤーの第３の実施例を示す側面図
【図６】頭皮マッサージ機能付きヘアドライヤーの第３の実施例を示す平面図
【考案を実施するための形態】
【００１４】
以下、本考案の実施の形態について、図面を参照して説明する。
【００１５】
頭皮マッサージ機能付きヘアドライヤー１０は、ヘアドライヤー１２と、ヘアドライヤー１２の送風口１４の下部に取り付けられたマッサージ器具１６とで構成されている。ヘアドライヤー１２は市販品と同様のものでもよいが、温度と風量はより微細に設定できるのが望ましい。マッサージ器具１６は、髪や頭皮を傷つけないように、柔らかく弾力性がある素材で構成されており、頭皮に直接触れる部分は滑らかに加工されている。マッサージ器具１６は、送風口１４の近傍であればどこに取り付けてもよいが、送風口１４から吹き出される温風や冷風の通り道を妨げないように配慮する。また柄１８の長さを調節できるように構成することで、体格や頭皮の状態等に合わせてマッサージ器具１６の位置をヘアドライヤー１２の先端から適度な距離に設定することができる。
【００１６】
マッサージ器具１６は１個（図１、図２）でも十分なマッサージ効果が期待できるが、温風や冷風の通り道を避けて２個（図３、図４）にするか、またはより多数個（図５、図６）にしてもよい。マッサージ器具１６は携帯性や清掃時の利便性を考慮すれば自由に取り外しできるのが望ましい。
【００１７】
マッサージ器具１６は電動で振動するように構成し、頭皮を効率的にマッサージできるのが望ましい。この場合、振幅の微細な調整により、微妙で絶妙な振動を与えることで、頭皮を叩いたり、細かく揉み解したりできるようにするのが望ましい。なお、ヘアドライヤー１２を動かしながら手動でマッサージするようにしてもよい。
【００１８】
頭皮マッサージ機能付きヘアドライヤー１０の使用方法の一例を説明する。頭皮マッサージ機能付きヘアドライヤー１０は、洗髪後の髪を乾かすときや髪型をセットするときなど、通常のヘアドライヤーを使用するタイミングと同じときに使用することができる。マッサージ器具１６を頭皮に当て、通常のヘアドライヤーを使用するときと同じように頭部の周りを移動させながらヘアドライと頭皮マッサージを同時に行う。ヘアドライヤーの当て過ぎは毛髪を痛める原因となるため、あまり長時間の使用は好ましくない。しかし、頭皮マッサージ機能付きヘアドライヤー１０は温度と風量の微細な調整ができるので、適度な温度で頭髪をゆっくり乾燥させながら頭皮マッサージを継続して行うことができる。また、マッサージ器具１６の振動パターンを変えながら頭皮に効果的な刺激を与えることもできる。さらには、洗髪後の頭髪乾燥とは無関係に適度な温風で頭皮をゆっくり温めながら血行を良くして、より効果的にマッサージすることもできる。
【００１９】
このように、本考案の頭皮マッサージ機能付きヘアドライヤー１０によれば、従来の頭皮マッサージに比べてより効果的に頭皮のマッサージを行うことができる。さらには温風で頭皮を温めることで血行が良くなり、抜け毛を防止し、頭皮を健康な状態に維持することができる。
【符号の説明】
【００２０】
１０  頭皮マッサージ機能付きヘアドライヤー
１２  ヘアドアイヤー
１４  送風口
１６  マッサージ器具
１８  柄
【図１】
0003192178.tif 000003
【図２】
0003192178.tif 000004
【図３】
0003192178.tif 000005
【図４】
0003192178.tif 000006
【図５】
0003192178.tif 000007
【図６】
0003192178.tif 000008